(57)【要約】  足底形状のソール（２２）、特に靴用のソールであって、前記ソールは、足底の支持のために少なくとも１つの支持構造（２３）を備える複数の層によって構成されており、前記支持構造（２３）は弾性があり、その支持構造（２３）の上面（２６）には少なくとも１つのミッドソール（１０，１０ａ，１０ｂ）のための少なくとも１つの座部（２７，２７ａ，２７ｂ）がある。前記ミッドソール（１０，１０ａ，１０ｂ）は、弾性的に圧縮可能な第１の複数の突起及び第２の複数の突起（１５，１６）が下面から下方に突出している本体（１１）によって構成されており、前記突起（１５，１６）の各々は軸方向のキャビティ（１７ａ，１７ｂ）を有している。
2018535076.tif 000002
【特許請求の範囲】
【請求項１】
足底形状のソール（２２）、特に靴用のソールであって、
前記ソールは、足底の支持のために少なくとも１つの支持構造（２３）を備える複数の層によって構成されており、前記支持構造（２３）は弾性があり、その支持構造（２３）の上面（２６）には少なくとも１つのミッドソール（１０，１０ａ，１０ｂ）のための少なくとも１つの座部（２７，２７ａ，２７ｂ）があり、前記ミッドソール（１０，１０ａ，１０ｂ）は、弾性的に圧縮可能な第１の複数の突起及び第２の複数の突起（１６）が下面から下方に突出している本体（１１）によって構成されており、前記突起（１５，１６）の各々は軸方向のキャビティ（１７ａ，１７ｂ）を有していることを特徴とするソール（２２）。
【請求項２】
請求項１に記載のソール(２２)において、
前記支持構造（２３）の下面（２４）にトレッド（２５）が安定的に結合しており、前記支持構造（２３）は、靴の使用中に元の形状に戻るのを可能とするようになっているプラスチック材料の単一ピースとして提供され、前記プラスチック材料は、0.11 - 0.30 g/cm3の密度と、実質的に45 - 60アスカーCの硬度とを有していることを特徴とするソール（２２）。
【請求項３】
請求項１又は２に記載のソール(２２)において、
前記支持構造（２３）の前記上面（２６）には、単一のミッドソール（１０）のための単一の座部（２７）があることを特徴とするソール（２２）。
【請求項４】
請求項１又は２に記載のソール(２２)において、
前記支持構造（２３）の前記上面（２６）には、踵部（２９）に、１つのミッドソール（１０ａ）のための１つの座部（２７ａ）があることを特徴とするソール（２２）。
【請求項５】
請求項１又は２に記載のソール(２２)において、
前記支持構造（２３）の前記上面（２６）には、前足部（２１）に、１つのミッドソール（１０ｂ）のための１つの座部（２７ｂ）があることを特徴とするソール（２２）。
【請求項６】
請求項１又は２に記載のソール(２２)において、
前記支持構造（２３）の前記上面（２６）には、踵部（２１）及び前足部（２９）の領域それぞれに、２つの別々のミッドソール（１０ａ，１０ｂ）のための２つの座部（２７ａ，２７ｂ）があることを特徴とするソール（２２）。
【請求項７】
請求項１乃至６の１つ以上に記載のソール(２２)において、
前記ミッドソール（１０，１０ａ，１０ｂ）は単一ピース又は複数の要素として設けられており、前記本体（１１）は、前記靴の使用中に元の形状に戻るのを容易にするようになっている弾性特性を有するとともに、0.15 g/cm3 - 1.20 g/cm3の密度と、15ショアＡ- 60ショアＡの硬度とを有することを特徴とするソール（２２）。
【請求項８】
請求項１乃至７の１つ以上に記載のソール(２２)において、
前記第１の複数の突起（１５）及び前記第２の複数の突起（１６）は、前記本体（１１）の下面（１４）全体に影響を与えるものであって、略錐台状又は略ピラミッド状及び/又は略円筒状の形状を有することを特徴とするソール（２２）。
【請求項９】
請求項１乃至８の１つ以上に記載のソール(２２)において、
前記第１の複数の突起（１５）は錐台状の形状を有し、一方、前記第２の複数の突起（１６）は円筒形状を有することを特徴とするソール（２２）。
【請求項１０】
請求項１乃至９の１つ以上に記載のソール(２２)において、
前記第１の複数の突起（１５）及び前記第２の複数の突起（１６）は、弾性的に圧縮可能であり、それぞれ、第１の軸方向キャビティ（１７ａ）及び第２の軸方向キャビティ（１７ｂ）を有し、これらの両方が前記ミッドソール（１０，１０ａ，１０ｂ）の全高つまり全厚に影響を与えることを特徴とするソール（２２）。
【請求項１１】
請求項１乃至１０の１つ以上に記載のソール(２２)において、
前記ミッドソール（１０，１０ａ，１０ｂ）の上面（１２）において、第１の穴（１８ａ，１８ｂ）が、それぞれ、前記第１の複数の突起（１５）及び前記第２の複数の突起（１６）の各々のところに存在していることを特徴とするソール（２２）。
【請求項１２】
請求項１乃至１１の１つ以上に記載のソール(２２)において、
前記第１の複数の突起（１５）の前記第１の穴（１８ａ）の各々はそれぞれの前記第１の軸方向キャビティ（１７ａ）に接続されており、前記第１の軸方向キャビティ（１７ａ）は、前記第１の複数の突起（１５）各々の第１の先端（１９ａ）において、第２の穴（２０ａ）で終わっていることを特徴とするソール（２２）。
【請求項１３】
請求項１乃至１２の１つ以上に記載のソール(２２)において、
前記第２の複数の突起（１６）の前記第１の穴（１８ｂ）の各々はそれぞれの前記第１の軸方向キャビティ（１７ｂ）に接続されており、前記第１の軸方向キャビティ（１７ｂ）は、前記第２の複数の突起（１６）各々の第２の先端（１９ｂ）において、第２の穴（２０ｂ）で終わっていることを特徴とするソール（２２）。
【請求項１４】
請求項１乃至１３の１つ以上に記載のソール(２２)において、
前記複数の第１の穴（１８ａ）は前記第２の穴（２０ａ）よりも大きい直径を有することを特徴とするソール（２２）。
【請求項１５】
請求項１乃至１４の１つ以上に記載のソール(２２)において、
前記第１の穴（１８ａ，１８ｂ）の各々は１ｍｍ〜１０ｍｍの直径を有し、前記第１の穴（１８ａ，１８ｂ）は、対応する第１の突起（１５）又は第２の突起（１６）が位置する前記ミッドソール（１０）の所望の領域に位置しており、前記第２の穴（２０ａ，２０ｂ）の各々は略２ｍｍの直径を有することを特徴とするソール（２２）。
【請求項１６】
請求項１乃至１５の１つ以上に記載のソール(２２)において、
直径がより大きい前記第１の穴（１８ａ）を有し前記下面（１４）からより多く突出している前記第１の突起（１５）は、前記踵部（２１）の中央領域及び前記前足部（２９）の中央領域に配置されており、前記第１及び第２の突起（１５，１６）の第１及び第２の先端（１９ａ，１９ｂ）は解剖学的輪郭を有する理想的な湾曲面上に存することを特徴とするソール（２２）。
【請求項１７】
請求項１乃至１６の１つ以上に記載のソール(２２)において、
前記第１の複数の突起（１５）の各々の側面に、一連の同心状の環状溝があり、これらの環状溝は、前記ミッドソール（１０，１０ａ，１０ｂ）の前記上面（１２）の方向に行くにしたがって直径が大きくなっていて、前記第１の複数の突起（１５）に階段状ピラミッドの形状を与えていることを特徴とするソール（２２）。
【請求項１８】
請求項１乃至１７の１つ以上に記載のソール(２２)において、
実質的にソール全体にわたってエルゴノミック層（３１，３１ａ，３１ｂ）が延びており、前記エルゴノミック層（３１，３１ａ，３１ｂ）は前記ミッドソール（１０，１０ａ，１０ｂ）に重なっており、前記エルゴノミック層（３１，３１ａ，３１ｂ）は、前記ミッドソール（１０，１０ａ，１０ｂ）から突出しているエッジ（３２）に沿って接着されることで連結されており、前記エルゴノミック層（３１，３１ａ，３１ｂ）は、略0.05 g/cm3 - 0.20 g/cm3の密度と略5アスカーC - 55アスカーCの硬度とを有する形状記憶特性を備えた材料を主として用いて提供されることを特徴とするソール（２２）。
【請求項１９】
請求項１８に記載のソール(２２)において、
前記ミッドソール（１０，１０ａ，１０ｂ）（但し前記突起を除く）及び前記エルゴノミック層（３１）は略一定の厚さを有することを特徴とするソール（２２）。
【請求項２０】
請求項１乃至１９の１つ以上に記載のソール(２２)において、
前記第１の複数の突起（１５）の前記第１の先端（１９ａ）にある前記第２の穴（２０ａ）の各々は、前記本体（１１）の平坦で穴のない前記上面（１２）で終端している貫通していない前記第１の軸方向キャビティ（１７ａ）に接続されており、
前記第２の複数の突起（１６）の第２の先端（１９ｂ）にある前記第２の穴（２０ｂ）は、前記本体（１１）の平坦で穴のない前記上面（１２）で終端している貫通していない前記第１の軸方向キャビティ（１７ｂ）に接続されていることを特徴とするソール（２２）。
【請求項２１】
請求項１乃至２０の１つ以上に記載のソール(２２)において、
前記支持構造２３は、側面３３で終端しており、その側面３３を横切る軸に沿って貫通する少なくとも１つの第１の開口（３４）を有することを特徴とするソール（２２）。
【請求項２２】
請求項１乃至２１の１つ以上に記載のソール(２２)において、
上記第１の開口（３４）を複数備え、これらの第１の開口（３４）は、互いに所定の間隔を開けて、隣合わせに配置されていることを特徴とするソール（２２）。
【請求項２３】
請求項１乃至２２の１つ以上に記載のソール(２２)において、
前記支持構造（２３）は、少なくとも１つの第２の開口（３６）を有し、前記第２の開口（３６）は、当該支持構造（２３）の前記下面（３５）に対して９０°をなして貫通していることを特徴とするソール（２２）。
【請求項２４】
請求項１乃至２３の１つ以上に記載のソール(２２)において、
上記第２の開口（３６）を複数備え、これらの第２の開口（３６）は、互いに略平行に配置され、前記下面（３５）の幅に部分的に影響を及ぼすことを特徴とするソール（２２）。
【請求項２５】
請求項１乃至２４の１つ以上に記載のソール(２２)において、
前記ミッドソール（１０）の前記第１及び第２の複数の突起（１５，１６）は一端で開口し、他端で閉じていることを特徴とするソール（２２）。
【発明の詳細な説明】
【技術分野】
【０００１】
本発明は、ソール（底）に関し、特に、靴用、例えば、ランニングシューズ、テニスシューズ、フットボールシューズなどのスポーツシューズ及びレジャーシューズ用のソールに関する。
【背景技術】
【０００２】
今日次の様な靴用ソールを提供することが知られている。そのソールとは、通常、収納された厚さ（contained thickness)を有し、歩行または走行中にそのソールがとる形状、形態（configurations)の関数として足に解剖学的に適合するよう、かつ、衝撃吸収体として機能するよう、弾性的に柔軟な材料で作られているものである。
【０００３】
事実、ソールは、地面に対する足の衝撃領域における過度の負荷を適切に減少させることができなければならないし、通常の踵-爪先ストライド時に受けるエネルギーの一部を弾性的に戻しつつ、筋肉のストレスを軽減し、筋骨格系の損傷となる負荷を軽減しなければならない。
【０００４】
このようなニーズに応えるために、今日使用されているソール及びミッドソールの主要な機能は、通常の踵-爪先ストライド中の衝撃吸収、踵から爪先へ負荷を伝達するための弾性収率(elastic yield)、および推進フェーズ(thrust phase)のための柔軟性である。
【０００５】
したがって、発泡ポリウレタン(EP)またはエチレンビニルアセテート(EVA)からなる靴のミッドソールを提供することが知られている。ここで、EP、EVAは、ミッドソールの約90%を構成し、踵からつま先までミッドソールの全長にわたる単一の剛性レベルを特徴とする
【０００６】
引用された公知技術に見られる欠点は、EVAまたEPからなるミッドソールは、ユーザの足底の形状にゆっくりと適合するために、使用中の適切な解剖学的適合を保証することができず、靴をかなり不快なものとする点にある。
【０００７】
オーバープロネーション（過剰回内）又は過剰なスピネーション（回外）である患者にとっては、この欠点はより一層感じられるものである。
【０００８】
プロネーションは、ランニングの正常な部分であり、ショックを吸収するために、ウォ−キングまたはランニング中に足が内側に回転する自然の傾向からなるものであるが、過剰に回転する人がいる。過剰回転（オーバープロネーション）は地面での足の衝撃の後続く。あるいは、外側への足の回転が不十分（過度のスピネーション）な人がいる。これらはどちらも、ランニングの態様に影響し、怪我のリスクを高め、足と膝の両方における腱炎、足底筋膜炎、その他の筋肉の炎症を生じさせる。
【０００９】
これらの欠点を克服するため、足底アーチのところで、ミッドソールの内側壁内に、剛性の支持要素を、例えば、より厚い又はより薄い垂直壁の形態で挿入することが知られている。
【００１０】
そのような剛性要素は不快であり不便でもある。なぜならば、それらは、足に適合するように三次元的かつ解剖学的に形成されていないので、足の底の形状に適合しないからである。
【００１１】
従来のミッドソールはしばしば、付加材料の使用によってウェスト領域が強化されていることがよくある。この付加材料の機能は、ミッドソールを軽量化するとともに衝撃を和らげることである。踵領域に配置されたパッドの使用が知られている。それらのパッドは空気又はゲル又は同様の材料を容れている。これらの材料は、衝撃吸収を高め、変形して、地面との衝撃のエネルギーを弾性的に吸収するようになっている。
【００１２】
このような従来の解決策（ソリューション）の欠点は、衝撃吸収の損失と、その結果としての弾性の損失である。これは、使用中に繰り返される圧縮の結果として、時間と共にミッドソールが衝撃吸収特性及び推進フェーズ（thrust phase)の弾性復帰を失うことによるものである。これは、それを作っている主要材料の特性と、スポーツ活動中に発生する反復的な圧迫（圧縮）を受けた場合に収縮したり破断したりし易いパッドの使用とによるものであり得る。
【発明の開示】
【発明が解決しようとする課題】
【００１３】
本発明の目標は、動きとユーザの足の形状とに迅速に適合させることができ、かつ、緩衝及び推進のための良好な特性を有する、ソール、特に靴用のソールを提供することである。
【００１４】
この目標の範囲内において、本発明の目的は、長期にわたって緩衝能力及び推進能力が維持されることを確保するソールを提供することである。
【００１５】
本発明の別の目的は、オーバープロネーション又は過度のスピネーションの問題を抱えた人々のためにも、適切な解剖学的適合性レベルに達することを確保できるソールを提供することである。
【００１６】
本発明の別の目的は、構造的に簡単で低コストであり、通常の従来のプラントで作ることができるソールを提供することである。
【課題を解決するための手段】
【００１７】
後でより一層明らかになる前記目標並びに前記及び他の目的は、足底様の輪郭形状（周縁形状）を有し、以下のことを特徴とするソール、特に靴用のソールによって達成される。つまり、このソールは、足底支持のために少なくとも１つの支持構造を備えた複数の層から構成され、前記支持構造は弾性があり、その支持構造の上面に少なくとも１つのミッドソールのための少なくとも１つの座部があり、前記ミッドソールは本体によって形成されており、弾性的に圧縮可能な第１の複数の突起及び第２の複数の突起が前記本体の第１の下面から下方に突出しており、各突起は軸方向のキャビティを有していることを特徴としている。
【００１８】
本発明のさらなる特徴と利点は、本発明に係るソールの具体的な、しかし排他的ではない実施形態の詳細な説明からより一層明らかになるだろう。本発明に係るソールは、添付の図面に、非制限的実施例として示されている。
【図面の簡単な説明】
【００１９】
【図１】本発明に係るソールの上面図である。
【図２】中立的な特性を有するソールについての、図１のII-II線断面図である。
【図３】中立的な特性を有するソールについての、図１のIII-III線断面図である。
【図４】中立的な特性を有するソールについての、図１のIV-IV線断面図である。
【図５】中立的な特性を有するソールについての、図１のV-V線断面図である。
【図６】本発明に係る構造に含まれるミッドソールの上面図である。
【図７】図６のミッドソールの底面図である。
【図８】図６のVIII-VIII線断面図である。
【図９】図６のIV-IV線断面図である。
【図１０】図６のX-X線断面図である。
【図１１】図６のXI-XI線断面図である。
【図１２】ミッドソールの下面の踵部から見た斜視図である。
【図１３】図２と同様の、図１のXIII-XIII線で切断したバリエーション（変形例）の断面図である。
【図１４】プロネーション防止特性を有するソールについての、図５と同様の、図１のXIV-XIV線断面図である。
【図１５】図１のXV-XV線断面図である。
【図１６】スピネーション防止特性を有するソールについての、図５と同様の、図１のXIV-XIV線断面図である。
【図１７】図１のXVII-XVII線断面図で、変形例におけるソールを示している。
【図１８】別の変形例におけるソールの上面図である。
【図１９】図１８のXIX-XIX線断面図である。
【図２０】第１の変形例における本発明に係るソールに含まれる支持構造の側面図である。
【図２１】ミッドソールと結合した図２０の支持構造の上面図である。
【図２２】図２１のXXII-XXII線断面図である。
【図２３】図２１のミッドソールと結合した支持構造の底面図である。
【図２４】図２１のミッドソールと結合した支持構造の上面図である。
【図２５】第２の変形例における本発明に係るソールに含まれ、ミッドソールに適用される支持構造の底面図である。
【発明を実施するための形態】
【００２０】
以下に示す実施形態では、特定の実施例に関して示されている個々の特性は、実際には、他の実施形態に存する他の異なる特性と入れ替えられてもよい。
【００２１】
図面を参照すると、参照番号２２は特にシューズ様のソールを包括的に示している。このソールは足底様の周縁形状を有し、複数の層で構成されている。
【００２２】
ソール２２は、足底支持のための弾性支持構造２３を備えている。そして、この弾性支持構造２３の下面２４にトレッド２５が安定的に結合している。
【００２３】
支持構造２３は、靴の使用中に元の形状に戻るのを容易にするために、弾性特性を有する材料を用いて、プラスチック材料の単一ピースとして提供される。この材料は、好ましくは、（0.11 - 0.30) g/cm3（つまり、0.11g/cm3 - 0.30 g/cm3)の密度と、(45 - 60) アスカーC（Asker C）(つまり45アスカーC - 60アスカーC)の硬度とを有し、例えば、エチルビニールアセテート（EVA)、ポリエチレン、EVA及びポリエチレン、発泡ポリスチレン、発泡ポリウレタン、発泡熱可塑性ポリウレタンなどである。
【００２４】
支持構造２３は、ソールの適切な足底解剖学的サポートを確実なものとするために、主として、そのセクターにとって標準的な密度（consistency)と硬度とによって特徴付けられる。
【００２５】
支持構造２３の上面２６には少なくとも１つのミッドソール１０のための少なくとも１つの座部２７がある。
【００２６】
図２−５に示された実施形態には、中立的な解剖学的特性を有するソール２２が示されている。
【００２７】
図１４に示された実施形態には、プロネーション防止特性を有するソール２２が示されている。
【００２８】
図１６に示された実施形態には、スピネーション防止特性を有するソール２２が示されている。
【００２９】
図２−５及び図１８，１９に示された実施形態では、実質的に一定の厚さを有し、足の底を容れられる輪郭を有し、足底様の周縁形状を有する上面１２を画定しているミッドソール１０がある。
【００３０】
図１３及び１４に示された実施形態では、座部２７ａにミッドソール１０ａがある。このミッドソール１０ａも、実質的に一定の厚さを有しているが、足の踵を入れられるよう形成されている。
【００３１】
図１５に示された実施形態では、座部２７ｂにミッドソール１０ｂがある。このミッドソール１０ｂも実質的に一定の厚さを有しているが、前足部（forefoot)を入れられるよう形成されている。
【００３２】
図１７は、座部２７ａ，２７Ｂそれぞれにミッドソール１０ａ，１０ｂが存在する、ソール２２の変形例を示している。
【００３３】
各ミッドソール１０，１０ａ，１０ｂは、靴の使用中に元の形状に戻るのを容易にするために、弾性特性を有する材料を用いて、単一ピース又は複数の要素として提供される。この材料は、好ましくは、（0.15 - 1.20) g/cm3（つまり、0.15g/cm3 - 1.20 g/cm3)の密度と、(15 - 60) ショアＡ (つまり15ショアＡ - 60ショアＡ)の硬度とを有し、例えば、SBSゴム（スチレン−ブタジエン−スチレン）、N.R.ゴム（天然ゴム）、ゴム及びEVA（エチレンビニールアセテート)、TPU(熱可塑性ポリウレタン)、２成分(ポリオール−イソシアネート)発泡PUポリウレタンなどである。
【００３４】
ミッドソール１０，１０ａ，１０ｂの本体１１の下面１４から、第１の複数の突起１５及び第２の複数の突起１６が下方に突出している。第１の複数の突起１５及び第２の複数の突起１６は、本体１１の下面１４全体に影響を与え、略錐台状又はピラミッド状及び/又は円筒状の形状を有する。
【００３５】
好ましくは、第１の複数の突起１５は錐台形状を有し、一方、第２の複数の突起１６は円筒形状を有する。
【００３６】
第１の複数の突起１５及び第２の複数の突起１６は弾性的に圧縮可能であり、各々が、それぞれ、第１の軸方向キャビティ１７ａ及び第２の軸方向キャビティ１７ｂを有し、これら両方がミッドソール１０，１０ａ，１０ｂの全高つまり全厚に影響を与える。
【００３７】
第１の穴１８ａ，１８ｂが、それぞれ、ミッドソール１０，１０ａ，１０ｂの上面に、第１の複数の突起１５及び第２の複数の突起１６の各々のところに存在している。
【００３８】
第１の複数の突起１５の第１の穴１８ａの各々はそれぞれの第１の軸方向キャビティ１７ａに接続されている。第１の軸方向キャビティ１７ａは、第１の複数の突起１５各々の第１の先端（apex)１９ａにおいて、第２の穴２０ａで終わっている。
【００３９】
第２の複数の突起１６の第１の穴１８ｂの各々はそれぞれの第１の軸方向キャビティ１７ｂに接続されている。第１の軸方向キャビティ１７ｂは、第２の複数の突起１６各々の第２の先端（apex)１９ｂにおいて、第２の穴２０ｂで終わっている。
【００４０】
複数の第１の穴１８ａ，１８ｂ及び複数の第２の穴２０ａ，２０ｂは所望の直径を有する。第１の穴１８ａは第２の穴２０ａよりも大きい直径を有するのが都合がよい。
【００４１】
第１の穴１８ａ，１８ｂの各々は可変の直径を有し、その直径は、対応する第１の突起１５または第２の突起１６が位置するミッドソール１０の所望の領域の関数として、１ｍｍと１０ｍｍとの間にあることが好ましい。有利なことに、大径の第１の穴１８ａを有し下面１４に対してより大きく突出している第１の突起１５は、踵部２１の中央領域及び前足部２９の中央領域に配置されている。したがって、有利なことに、第１及び第２の突起１５，１６の第１及び第２の先端１９ａ，１９ｂは解剖学的輪郭を有する（anatomically-contoured）理想的な湾曲面上にある。
【００４２】
しかしながら、第２の穴２０ａ，２０ｂのそれぞれは、略同じ直径を有しており、好ましくは、約２ｍｍの直径を有する。
【００４３】
前記第１の複数の突起１５それぞれの側面には、一連の同心の環状溝がある。これらの環状溝は、ミッドソール１０，１０ａ，１０ｂの上面１２の方向に行くにつれて直径が大きくなっていて、前記第１の複数の突起１５に階段状ピラミッドの形状を与えている。
【００４４】
これによって、第１の複数の突起１５の第１の先端１９ａがつぶれて第１の軸方向キャビティ１７ａ内に入ることができ、よって衝撃を緩和することができると共に、直径が段々大きくなる同心の環状溝の存在は、第１の複数の突起１５が元の形状構造に復帰するまで推進エネルギーを戻すことによって、弾性収率を提供することを可能とし、こうして、衝撃／緩衝及び弾性降伏／推進のさらなるサイクルを行うのである。
【００４５】
第１及び第２の軸方向キャビティ１７ａ，１７ｂの存在はミッドソール１０，１０ａ，１０ｂの軽量化に寄与する。
【００４６】
第１下面１４の所望の領域におけるミッドソール１０，１０ａ，１０ｂの配置並びに第１及び第２の複数の突起１５，１６の各々のサイズ及びそれら突起の密度は、ユーザの足の解剖学的形状構造及びユーザによって行われるアクティビティのタイプに関連した所望の緩衝作用、弾性収率及び推進の関数として定義される。
【００４７】
第２の複数の突起１６の各々は単一の円筒形要素４８によって構成されるのが有利である。
【００４８】
オプションとして、図１から図５までと図１３から図１７までに示されている実施例においては、ソール２２はエルゴノミック層３１，３１ａ，３１ｂを備えている。このエルゴノミック層３１，３１ａ，３１ｂは、実質的に足ソール全体にわたって延びており、ミッドソール１０，１０ａ，１０ｂに重ねられており、周囲が支持構造２３に連結されており、好ましくは、ミッドソール１０，１０ａ，１０ｂから突出しているエッジ３２に沿って接着されることで支持構造２３に連結されている。
【００４９】
好ましくは、エルゴノミック層３１，３１ａ，３１ｂ及びミッドソール１０，１０ａ，１０ｂは、共成形（co-molding)によって作ることができ、又は、接着によって結合することができる。
【００５０】
エルゴノミック層３１，３１ａ，３１ｂは、好ましくは形状記憶特性を備えた材料を用いて提供される。この材料は、好ましくは、（0.05 - 0.20) g/cm3（つまり、0.05g/cm3 - 0.20g/cm3)の密度と、(5 - 55) アスカーC（Asker C）(つまり5アスカーC - 55アスカーC)の硬度とを有し、例えば、発泡ポリウレタンフォーム、EVAフォーム、ポリエチレンフォーム、ポリエチレンフォーム及びEVA、閉じたセルを備えた網状発泡ポリエチレンなどである。
【００５１】
ミッドソール１０，１０ａ，１０ｂ（突起を除く）及びエルゴノミック層３１は、長さ方向にも幅方向にも、略一定の厚さを有する。
【００５２】
図１４はプロネーションに対抗するための特性を有するように作られたソール２２の踵領域２１を横切る図１のXIV-XIV線断面図である。プロネーションとは、ウォーキング中又はランニング中に足が内側に回転する傾向のことである。
【００５３】
有利なことに、支持構造２３の厚さは、その支持力を高めるために、足の内側領域に近いところで大きくなっている。
【００５４】
図１６はスピネーションに対抗するための特性を有するように作られたソール２２についての図１のXIV-XIV線断面図である。スピネーションとは、足の第３部分（third segment)が外側に回転する傾向のことである。
【００５５】
有利なことに、支持構造２３の厚さは、その支持力を高めるために、足の外側領域に近いところで大きくなっている。
【００５６】
前記２つの構造、つまり、プロネーション防止構造及びスピネーション防止構造を、中立的特性を備えたソール２２の踵領域２１の断面図である図５と比較することができる。
【００５７】
それ故、ソール２２は、特定の疾患を患っていない競技者及び従事者のためのスポーツシューズを提供することにおいて（なぜならば、スポーツ活動中、足を中立的に支持するから）、及び、プロネーション及びスピネーションの問題を抱えた競技者のためのシューズを提供することにおいて、その両方において使用されるのに役立つ。
【００５８】
踵領域２１における内側部分又は外側部分で支持構造２３の厚さを増加させ、その結果としてミッドソール１０を、ユーザの足の支持を色々に補償（補正）するよう適合させるだけで十分であり、それにより剛性の高い支持インサートの使用を回避することができる。
【００５９】
なお、ソール２２の構造物を構成する既述の要素の組み合わせはシューズの快適性及び性能を改善することを可能とする。
【００６０】
さらに、ミッドソール１０，１０ａ，１０ｂは、ユーザが地面に踵を置いたことによる圧縮後の元のサイズと形状への弾性復帰特性が大きいので、通常の踵−爪先ストライド中、蓄積エネルギーを戻して、地面に対する足の衝撃から吸収された負荷を推力(thrust)へと移行させることを向上させることができ、したがって、ソール２２の衝撃緩衝能力及び推進能力を長期にわたって確保できる。
【００６１】
最後に、任意で設けられるエルゴノミック層３１は、ユーザの足をより快適に休ませることができる。
【００６２】
図２０から図２４までに示した実施形態では、例えば、全体の軽量化が必要な場合、支持構造２３は、その側面３３を横切る軸に沿った複数の第１の開口３４（側面３３で終端）を有する。
【００６３】
これら第１の開口３４の形状は、特定の要件の関数として変わり、例えば、規則的または不規則な多角形を有していてもよく、湾曲していてもよい。
【００６４】
第１の開口３４は、適当な距離をあけて、互いの横に、つまり隣合わせに配置される。
【００６５】
さらに、支持構造２３は、その下面３５の踵領域２１と前足領域２９に、複数の第２の開口３６を有する。これらの第２の開口３６は支持構造２３の下面３５に対して９０°をなして貫通している。
【００６６】
第２の開口３６は、非限定的な例として、平面視の形状構造が実質的に多角形、好ましくは矩形であり、互いに略平行に配置され、下面３５の幅に部分的に影響を及ぼす。
【００６７】
都合の良いことに、それらが対応する領域にあるとき、第１の開口３４は第２の開口３６に接続される。つまり、相互の連絡がある。
【００６８】
支持構造２３の上面２６には、ミッドソール１０のための座部２７がある。そこにおいて、第１及び第２の複数の突起１５，１６が一端で開口し、他端で閉じている。
【００６９】
特に、前記第１の複数の突起１５の第１の先端１９ａにある第２の穴２０ａの各々は、それぞれの貫通していない(blind)第１の軸方向キャビティ１７ａに接続されている。第１の軸方向キャビティ１７ａは、本体１１の平坦で穴のない上面１２で終端している。
【００７０】
さらに、前記第２の複数の突起１６の第２の先端１９ｂにある第２の穴２０ｂの各々は、それぞれの貫通していない(blind)第１の軸方向キャビティ１７ｂに接続されている。第１の軸方向キャビティ１７ｂは、本体１１の平坦で穴のない上面１２で終端している。
【００７１】
明らかに、前記開口３４，３６は、特定の要件に応じて、ソールのどの位置にでも配置することができる。
【００７２】
図２５に示した実施例において、例えば、全体の軽量化に伴う必要性に応じて、支持構造２３は、その第３の下面３５の踵領域２１のみに、単一の第３の開口３７を有している。この第３の開口３７は、ミッドソールを見えるようにすべく、支持構造２３に対して９０°をなして貫通している。
【００７３】
前記第３の開口３７は、非限定的な例として、長軸が支持構造２３の長手方向の軸と略一致する略楕円形状を有する。
【００７４】
動きとユーザの足の形状とに迅速に適合させることができ、同時に、良好な緩衝及び推進特性を有するソールを得ることができたので、本発明は上記目標及び目的を十分に達成できることが分かった。
【００７５】
さらに、本発明に係るソールは確実に、長期にわたり緩衝及び推進能力を維持し、かつ、オーバープロネーション又は過度のスピネーションの問題を抱えるユーザに対してさえ、適切なレベルの解剖学的適合を達成するものであることがわかった。
【００７６】
本発明は数多くの修正及び変更を受けることができるが、それらは全て附属の請求項の範囲内にあるものである。
【００７７】
本発明の個々の構成部材の使用材料及び寸法は、特定の具体的要件によってはより重要である。
【００７８】
有利、好都合などとして示した特性は無くてもよく、また同等の特性と置き換えてもよい。
【００７９】
本願において優先権を主張しているイタリア特許出願第102015000075726 (UB2015A005851)号における開示は、援用により本明細書に組み込まれている。
【００８０】
請求項に記載の技術的事項の後に参照符号が続いている場合、それらの参照符号はその請求項をより理解できるようにする目的のみで入れたものであり、したがって、そのような参照符号は、それら参照符号によって例として特定される各要素の解釈に如何なる限定効果も持つものではない。
【図１】
2018535076.tif 000003
【図２】
2018535076.tif 000004
【図３】
2018535076.tif 000005
【図４】
2018535076.tif 000006
【図５】
2018535076.tif 000007
【図６】
2018535076.tif 000008
【図７】
2018535076.tif 000009
【図８】
2018535076.tif 000010
【図９】
2018535076.tif 000011
【図１０】
2018535076.tif 000012
【図１１】
2018535076.tif 000013
【図１２】
2018535076.tif 000014
【図１３】
2018535076.tif 000015
【図１４】
2018535076.tif 000016
【図１５】
2018535076.tif 000017
【図１６】
2018535076.tif 000018
【図１７】
2018535076.tif 000019
【図１８】
2018535076.tif 000020
【図１９】
2018535076.tif 000021
【図２０】
2018535076.tif 000022
【図２１】
2018535076.tif 000023
【図２２】
2018535076.tif 000024
【図２３】
2018535076.tif 000025
【図２４】
2018535076.tif 000026
【図２５】
2018535076.tif 000027
【国際調査報告】
2018535076.tif 000028
2018535076.tif 000029